(57)【要約】【課題】インターネットへの接続機能を有していないオーディオ装置においても、音声データについてのメタデータを容易に取得することができるようにする。【解決手段】オーディオ装置において、対象とする記録媒体から、それに記録されている音声データに関する所定の付随情報を読み出す読出し手段と、読出し手段により読み出した付随情報を含むメタデータ供給要求を所定の携帯端末装置に送信する要求送信手段（ステップ２５）と、要求送信手段からのメタデータ供給要求に応答し、その付随情報に基づいて携帯端末装置が取得し、転送してくるメタデータを受信するメタデータ受信手段（ステップ２９）とを設ける。【選択図】図２
2007234072.tif 000002
【特許請求の範囲】
【請求項１】
対象とする記録媒体から、それに記録されている音声データに関する所定の付随情報を読み出す読出し手段と、
前記読出し手段により読み出した付随情報を含むメタデータ供給要求を所定の携帯端末装置に送信する要求送信手段と、
前記要求送信手段からのメタデータ供給要求に応答し、その付随情報に基づいて前記携帯端末装置が取得し、転送してくるメタデータを受信するメタデータ受信手段とを具備することを特徴とするオーディオ装置。
【請求項２】
前記記録媒体に記録されている音声データを読み出し、前記メタデータ受信手段により受信したメタデータを前記音声データに対応させて、前記音声データと共に記憶する記憶手段を有することを特徴とする請求項１に記載のオーディオ装置。
【請求項３】
多数の音声データについて、各音声データのメタデータと、その音声データに関する前記付随情報とを対応付けて記録したデータベースを備え、
前記要求送信手段は、前記読出し手段により読み出した付随情報に対応するメタデータが前記データベースに登録されていない場合に、前記メタデータ供給要求の送信を行うものであることを特徴とする請求項１又は２に記載のオーディオ装置。
【請求項４】
請求項１〜３のオーディオ装置における各手段としてコンピュータを機能させることを特徴とするメタデータ受給プログラム。
【請求項５】
オーディオ装置が、対象とする記録媒体から、それに記録されている音声データに関する所定の付随情報を読み出す読出し工程と、
オーディオ装置が、前記読出し工程において読み出した付随情報を含むメタデータ供給要求を所定の携帯端末装置に送信する要求送信工程と、
オーディオ装置が、前記要求送信工程におけるメタデータ供給要求に応答し、その付随情報に基づいて前記携帯端末装置が取得し、転送してくるメタデータを受信するメタデータ受信工程とを具備することを特徴とするメタデータ受給方法。
【発明の詳細な説明】
【技術分野】
【０００１】
本発明は、記録媒体に記録されている音声データについてのメタデータの供給を携帯端末装置から受けるオーディオ装置、前記オーディオ装置における各手段としてコンピュータを機能させるメタデータ受給プログラム、及び前記オーディオ装置により行われるメタデータ受給方法に関する。
【背景技術】
【０００２】
一般に、ＴＯＣ情報を有するＣＤ等の記録媒体から音楽データを読み出し、音楽ファイルとして、内蔵メモリやＨＤＤ等へ記録するような場合、音楽ファイルについてのメタデータは、パソコン等によってインターネット上のＣＤＤＢ（ＣＤデータベース）サーバ等から取得することができる。その際、ＣＤ等のＴＯＣ情報が、ＣＤＤＢにおける検索キーとして使用される。ＴＯＣ情報には楽曲数や再生時間が含まれており、これらにより、対応するメタデータが特定される。
【０００３】
このような技術を応用したものとして、クライアントとしての再生装置に装填された音楽メディアについての楽曲情報を、サーバの楽曲情報データベースから検索する技術が知られている（たとえば特許文献１参照）。この技術において、クライアントは、音楽メディアに記録されているＴＯＣ情報に加え、音楽メディアに記録されているオーディオ信号の一部を簡略化して作成したデータをも検索キーとして、楽曲情報データベースの検索を行うにしている。
【０００４】
また、これに類似した技術として、リスト作成の対象となるディスクから、一部の音楽データを読み出し、これを検索キーとして、楽曲情報のデータベースサーバを検索し、検索キーと一致する音楽データを含む楽曲の楽曲情報を受信して楽曲情報リストを作成する技術が知られている（たとえば特許文献２参照）。さらに、楽曲の波形の特徴から作成したキーに基づいて、データベースサーバから、その楽曲の楽曲情報を取得するようにした技術も知られている（たとえば特許文献３参照）。
【０００５】
一方、楽曲情報を必要とするオーディオ機器内において、ＣＤＤＢに相当するデータベースを備え、これを参照することにより、メタデータを取得するようにしたオーディオ機器も実用化されている。
【０００６】
【特許文献１】特開２００２−０４１５２７号公報
【特許文献２】特開２００４−０３０７９０号公報
【特許文献３】特開２００５−２０８８７５号公報
【発明の開示】
【発明が解決しようとする課題】
【０００７】
しかしながら、上述のようなインターネット上のサーバから、楽曲データについてのメタデータを取得する技術によれば、メタデータを必要とする機器が、インターネットに接続する機能を有していなければ、メタデータを取得することができない。また、機器内に音楽データについてのメタデータのデータベースを備えるオーディオ機器によれば、市場に出回っているＣＤ等のコンテンツの数は膨大であるため、機器内のデータベースはインターネット等を介してデータ更新を定期的に行わなければ対応しきれなくなり、要求されたコンテンツに対応するメタデータを取得することができなくなるおそれがある。
【０００８】
本発明の目的は、このような従来技術の問題点に鑑み、インターネットへの接続機能を有していないオーディオ装置においても、音声データについてのメタデータを容易に取得することができるようにすることにある。
【課題を解決するための手段】
【０００９】
上記目的を達成するため、第１の発明に係るオーディオ装置は、対象とする記録媒体から、それに記録されている音声データに関する所定の付随情報を読み出す読出し手段と、前記読出し手段により読み出した付随情報を含むメタデータ供給要求を所定の携帯端末装置に送信する要求送信手段と、前記要求送信手段からのメタデータ供給要求に応答し、その付随情報に基づいて前記携帯端末装置が取得し、転送してくるメタデータを受信するメタデータ受信手段とを具備することを特徴とする。
【００１０】
ここで、所定の付随情報としては、たとえば、ＣＤ等のＴＯＣ情報や目次情報が該当する。具体的には、楽曲数、再生時間等が該当する。記録媒体としては、ＣＤ−ＤＡ（コンパクト・ディスク・ディジタル・オーディオ）やＤＶＤオーディオが該当する。メタデータとしては、たとえば、記録媒体に記録されている音楽データについてのアルバムタイトル、曲名、アーティスト等のデータが該当する。携帯端末装置としては、たとえば、携帯電話や、ＰＨＳ（パーソナル・ハンディホーン・システム）、電話機能付きのモバイルコンピュータが該当する。要求送信手段やメタデータ受信手段による送受信は、有線方式又は無線方式のいずれによるものであってもよい。
【００１１】
この構成において、オーディオ装置が、対象とする記録媒体から、それに記録されている音声データに関する付随情報を読み出し、読み出した付随情報を含むメタデータ供給要求を所定の携帯端末装置に送信すると、携帯端末装置は、このメタデータ供給要求に応答し、メタデータ供給要求に含まれる付随情報に基づき、対応するメタデータを、所定の電話通信網及びインターネットを経て所定のサーバから取得し、オーディオ装置に転送する。オーディオ装置はこれを受信することにより、記録媒体に記録されている音声データについてのメタデータを得ることができる。オーディオ装置は、取得したメタデータを、音声データの再生に際して表示したり、音声データの記録に際し、併せて記録したりすることにより、メタデータを活用することができる。
【００１２】
第２の発明に係るオーディオ装置は、第１発明において、前記記録媒体に記録されている音声データを読み出し、前記メタデータ受信手段により受信したメタデータを前記音声データに対応させて、前記音声データと共に記憶する記憶手段を有することを特徴とする。
【００１３】
第３の発明に係るオーディ装置は、第１又は第２発明において、多数の音声データについて、各音声データのメタデータと、その音声データに関する前記付随情報とを対応付けて記録したデータベースを備え、前記要求送信手段は、前記読出し手段により読み出した付随情報に対応するメタデータが前記データベースに登録されていない場合に、前記メタデータ供給要求の送信を行うものであることを特徴とする。
【００１４】
第４の発明に係るメタデータ受給プログラムは、第１〜第３のいずれかの発明に係るオーディオ装置における各手段としてコンピュータを機能させることを特徴とする。
【００１５】
第５の発明に係るメタデータ受給方法は、オーディオ装置が、対象とする記録媒体から、それに記録されている音楽データに関する所定の付随情報を読み出す読出し工程と、オーディオ装置が、前記読出し工程において読み出した付随情報を含むメタデータ供給要求を所定の携帯端末装置に送信する要求送信工程と、オーディオ装置が、前記要求送信工程におけるメタデータ供給要求に応答し、その付随情報に基づいて前記携帯端末装置が取得し、転送してくるメタデータを受信するメタデータ受信工程とを具備することを特徴とする。
【発明の効果】
【００１６】
本発明によれば、音声データに関する付随情報を含むメタデータ供給要求を携帯端末装置に送り、これに応答して携帯端末装置がＣＤＤＢサーバ等から取得し、転送してくるメタデータを受信するようにしたため、オーディオ装置は、自身が音声データについてのメタデータのデータベースや、インターネットへの接続機能を備えていなくても、音声データに関するメタデータを容易に、ＣＤＤＢサーバ等から取得することができる。
【００１７】
したがって、ユーザは、たとえば、携帯端末装置をオーディオ装置に接続し、記録媒体をオーディオ装置に装填するだけで、手入力の必要なく、記録媒体中の音楽データについてのタイトルやアーティストを表示させたり、リッピングに際してこれらの情報を併せて記録させたりすることができる。
【００１８】
また、手軽な携帯端末装置を介してメタデータを得るようにしたので、オーディオ装置における設定の複雑化を伴うことなく、また、オーディオ装置の設置場所を問題とすることもなく、常に最新のデータベースからメタデータを取得することができる。
【００１９】
また、多数の音声データについて、各音声データのメタデータと、その音声データに関する付随情報とを対応付けて記録したＣＤＤＢに相当するデータベースをオーディオ装置が備える場合には、要求送信手段は、読出し手段により読み出した付随情報に対応するメタデータが前記データベースに登録されていない場合に、メタデータ供給要求の送信を行うようにしたため、データベースがインターネットを介して更新されないことや、音声データが新規なものであることや、データベースに登録されていないこと等に起因して、データベースからは、対象とする記録媒体に記録されている音声データについてのメタデータを取得することができない場合においても、携帯端末装置を介して、最新のメタデータを容易に取得することができる。
【発明を実施するための最良の形態】
【００２０】
図１は本発明の一実施形態に係るメタデータ取得システムを示すブロック図である。図中の１１は、セットされたＣＤの音楽データを再生する機能を有するオーディオ機器、１２はオーディオ機器１１に接続される携帯電話、１３は携帯電話１２が接続することができるインターネット網、１４はインターネット網１３を介して携帯電話１２がアクセスすることができる所定のデータベースサイトである。
【００２１】
携帯電話１２は、接続可能な電話網上のインターネットプロバイダのアクセスポイントを介してインターネット網１３に接続する機能を有する。データベースサイト１４はＣＤＤＢサーバのようなメタデータ提供サービスを行うものである。データベースサイト１４には、多数の音楽ＣＤの音楽データについて、そのメタデータとしてのアルバム名、各収録曲のタイトル、アーティスト名、曲順、再生時間等の情報が記録されたデータベースが設けられている。
【００２２】
オーディオ機器１１は、セットされたＣＤからＴＯＣ情報を読み出し、読み出したＴＯＣ情報を含むメタデータ供給要求を携帯電話１２に送信し、これに応答して、ＴＯＣ情報に基づいて携帯電話１２が取得し、転送してくるメタデータを受信する機能を備える。オーディオ機器１１はまた、セットされたＣＤに記録されている音楽データを読み出し、携帯電話１２から受信したメタデータを伴う音楽ファイルとして内蔵メモリやハードディスクに記憶させるリッピング機能を有する。
【００２３】
携帯電話１２は、オーディオ機器１１からのＴＯＣ情報を含むメタデータ供給要求を受信し、そのＴＯＣ情報に基づき、対応するメタデータを、データベースサイト１４から取得し、取得したメタデータを、オーディオ機器１１に転送する機能を有する。メタデータの取得に際しては、たとえば、ＴＯＣ情報中の曲数や再生時間に関する情報が検索キーとして用いられ、データベースサイト１４での検索が行われる。
【００２４】
図２は図１のシステムにおけるメタデータ取得処理を示すフローチャートである。この処理は、オーディオ機器１１及び携帯電話１２により、所定のプログラムに従って行われる。処理を開始すると、オーディオ機器１１はまず、ステップ２１において、メタデータを取得する旨の指示がなされるのを待機する。この指示は、たとえば、記録対象とするＣＤがオーディオ機器１１にセットされたことに応答して与えられる。
【００２５】
メタデータを取得する旨の指示を受けると、オーディオ機器１１はステップ２２において、携帯電話１２がオーディオ機器１１に対して接続されているかどうかを判定する。接続されていないと判定した場合には接続されるのを待ってからステップ２３へ進む。接続されていると判定した場合にはそのままステップ２３へ進む。ステップ２３及び２４においては、オーディオ機器１１は、携帯電話１２に対し、インターネット網１３へ接続するように指示し、接続が完了するのを待機する。携帯電話１２はこの指示に応じ、インターネット網１３への接続を行い、接続が完了したら、その旨をオーディオ機器１１に通知する。
【００２６】
この通知を所定時間内に受信できない場合、オーディオ機器１１は、ステップ２４においてこれを検出し、メタデータ取得処理を終了する。所定時間内に接続が完了した旨の通知を受信すると、ステップ２５へ進み、オーディオ機器１１はＣＤから読み出したＴＯＣデータを携帯電話１２へ転送する。携帯電話１２はこのＴＯＣデータを受信する。次に、ステップ２６において、携帯電話１２は、データベースサイト１４に対し、受信したＴＯＣ情報を、インターネット網１３を介して送り、そのＴＯＣ情報に対応するメタデータの提供を依頼する。
【００２７】
オーディオ機器１１はその後、ステップ２７及び２８において、転送したＴＯＣデータに対応するメタデータを取得した旨の携帯電話１２からの通知を待機する。所定時間内にメタデータを取得した旨の通知がなかったことをステップ２８において検出した場合にはメタデータ取得処理を終了する。所定時間内にメタデータを取得した旨の通知があった場合には、ステップ２９へ進み、オーディオ機器１１は携帯電話１２から、取得したメタデータを受信する。これにより、オーディオ機器１１は、ＣＤに記録されている音楽データについてのメタデータを取得することができたことになる。
【００２８】
この後、ステップ３０において、オーディオ機器１１は、他のＣＤについてメタデータを取得するかどうかを判定する。取得しないと判定した場合にはメタデータ取得処理を終了する。取得すると判定した場合には、ステップ２１へ戻り、メタデータ取得の指示を待機する。
【００２９】
なお、オーディオ機器１１が取得したメタデータは、オーディオ機器１１において、装着されているＣＤから音楽データを読み出し、これを音楽ファイルとしてハードディスク等に記録する際に、音楽ファイルに付随するメタデータとして使用される。また、その音楽データの記録や再生に際し、音楽データについてのアルバム名や、曲名、アーティスト名、演奏時間等を表示するのにも使用することができる。
【００３０】
本実施形態によれば、ＣＤの音楽データをハードディスク等に記録する等の場合に、携帯電話を介し、データベースサイトからメタデータを取得することができるので、インターネットへの接続機能を有していないオーディオ機器においても、容易にメタデータを取得することができる。したがって、記録する音楽ファイルに付随させるメタデータを手入力する煩わしさを解消することができる。また、ＣＤの音楽データの記録を行う毎に、データベースサイトからメタデータを取得することができるので、記録する音楽ファイルに対し、常に最新のメタデータを付随させることができる。また、オーディオ機器においてメタデータについての容量の大きなデータベースを構築する必要がないので、記憶容量を節約することができる。
【００３１】
なお、本発明は上述実施形態に限定されることなく、適宜変形して実施することができる。たとえば、上述においては、オーディオ機器は、多数の音楽データについて、各音楽データのメタデータと、その音楽データに関する付随情報とを対応付けて記録したＣＤＤＢに相当するメタデータのデータベースを有していないが、これに限らず、そのようなデータベースを備えていてもよい。
【００３２】
その場合、セットされたＣＤのＴＯＣ情報に対応するメタデータは、通常はそのデータベースから取得することができるので、ＴＯＣ情報に対応するメタデータがデータベースに登録されていないときに、図２のメタデータ取得処理を行うようにしてもよい。これによれば、データベースがインターネットを介して更新されないことや、音楽データが新規なものであることや、データベースに登録されていないこと等に起因して、データベースからは、セットされたＣＤの音楽データについてのメタデータを取得することができない場合においても、携帯電話を介して、最新のメタデータを容易に取得することができる。
【図面の簡単な説明】
【００３３】
【図１】本発明の一実施形態に係るメタデータ取得システムを示すブロック図である。
【図２】図１のシステムにおけるメタデータ取得処理を示すフローチャートである。
【符号の説明】
【００３４】
１１：オーディオ機器、１２、携帯電話、１３：インターネット網、１４：データベースサイト。
【図１】
2007234072.tif 000003
【図２】
2007234072.tif 000004